(57)【要約】      （修正有）【課題】スタンドと電源ボックスの組立作業を簡易化且つ迅速に行うことができるソーラーモジュールと組み合わせて使用する電源ボックスモジュールを提供する。【解決手段】電源ボックスモジュール１００は、スタンド２００と電源ボックス３００で構成され、スタンドを介してソーラーモジュールに固定される。スタンドは、電源ボックスの第１側面３１０に接する支持プレート２１０、支持プレートから直立して電源ボックス第２側面３２０に接する接続プレート２２０及びさらに接続プレートから直立して延長され、ソーラーモジュールに接続される延伸プレート２３０からなり、支持プレート上に設けた第一定位フック２６０を電源ボックスの第二側面に設けた第一定位穴３５０に係合して固定することにより、スタンドと電源ボックスの組立作業を簡易化する。【選択図】図１
0003194050.tif 000002
【実用新案登録請求の範囲】
【請求項１】
スタンドと箱型の電源ボックスからなる電源ボックスモジュールであって、
該スタンドを介して電源ボックスをソーラーモジュールに固定するため
該スタンドは、電源ボックスの第一側面に接する支持プレート、該支持プレートから直立して電源ボックスの上記第一側面と直角をなして隣接する第二側面に接する接続プレート及びさらに該接続プレートから直立して延長され、ソーラーモジュールに接続される延伸プレートからなり、
上記支持プレート上に第一定位フックを設け、電源ボックスには第一側面から内方に貫通する第一側穴を設けると共に第２側から第１定位穴を設けて該第一側穴から第１定位穴に連通せしめ、該支持プレート上に設けた第一定位フックを該第一側穴から挿通して該第１定位穴に係合することにより、箱型電源ボックスをスタンドに定位して固定することを特徴とする電源ボックスモジュールの構造。
【請求項２】
前記スタンドの延伸プレートにソーラーモジュールに固定するための組立穴を設けることを特徴とする請求項１記載の電源ボックスモジュールの構造。
【請求項３】
前記接続プレートは、更に前記箱型電源ボックスの第２側に設けた第１定位穴に相対応して第一穴を設け、該第一穴を通して第１定位穴に係合した前記支持プレート上の第一定位フックを操作可能としたことを特徴とする請求項２記載の電源ボックスモジュールの構造。
【請求項４】
前記第一定位フックは、該接続プレートの方向に向けて傾斜させて形成したことを特徴とする請求項２記載の電源ボックスモジュールの構造。
【請求項５】
前記第一定位フックは、逆フック部及び延伸アームにより構成し、該逆フック部は該延伸アームの先端に設けられ、該延伸アームは該支持プレート上に直立して設けられたことを特徴とする請求項１記載の電源ボックスモジュールの構造。
【請求項６】
前記第一側穴は隠れ穴として、且つ前記第一定位穴と互いに連通することを特徴とする請求項１記載の電源ボックスモジュールの構造。
【請求項７】
更に、前記スタンドの接続プレートには、相対する箱型ボックス第二側面に向けて、支持パーツを突出して形成し、相対する箱型ボックスの第二側面にはこれに対して嵌合する支持穴を設けて、両者を嵌合して組み立てることを特徴とする請求項１記載の電源ボックスモジュールの構造。
【請求項８】
前記支持パーツは一つのＴ字型フックであり、且つ該Ｔ字型フックは支持プレート上に設けた第一定位フックの片側に隣接して設置し、該支持穴はＴ字型溝であり、且つ該支持穴は第一定位穴の片側に隣接して設置し、該Ｔ字型フックはＴ字型溝に差し込んで組み立てることを特徴とする請求項７記載の電源ボックスモジュールの構造。
【請求項９】
前記支持パーツは一対のフックであり、支持穴は一対の溝であって、該一対の溝は第一定位穴の片側に隣接して設置し、該一対のフックを掛止することを特徴とする請求項７記載の電源ボックスモジュールの構造。
【請求項１０】
更に、前記スタンドの接続プレートには第二定位フックを設けると共に、前記箱型ボックス第一側面には第二側穴、及び第二側面にはこれと連通する第二定位穴を設けて、該第二定位フックは第一定位フックの片側に隣接し、該第二側穴と該第二定位穴は該第一側穴と該第一定位穴の片側にそれぞれ隣接して配置され、該第二定位フックは該第二側穴を通して該第二定位穴に係合することを特徴とする請求項１記載の電源ボックスモジュールの構造。
【考案の詳細な説明】
【技術分野】
【０００１】
本考案は、電源ボックスモジュールの構造に関し、特にソーラーモジュールと組合せて使用できる電源ボックスモジュールの構造に関する。
【背景技術】
【０００２】
太陽光は、最もエコで最もクリーンなエネルギーであり、ソーラー発電の利用率がますます高く普遍的になってきた。ソーラー発電の原理は、ソーラーモジュールを並列或いは直列接続して複数個のソーラー発電ユニットにし、各ソーラー発電ユニットが環境光を吸収して電力に変換して出力する。ソーラーパネルモジュールの背面で各ソーラー発電ユニットの電極(即ちプラスとマイナス)を整合してから、ソーラージャンクションボックスに接続し、そしてケーブルにより他のソーラーパネルモジュールと接続、或いは電気負荷に出力する。このため、ソーラーパネル専用として応用するジャンクションボックスに対するニーズが増えてきた。
【０００３】
ジャンクションボックスはソーラーパネルからのケーブルと接続する一方、プラスケーブル或いはマイナスケーブルとも接続するため、複数のケーブルと固定或いは電気接続するものである。従来のソーラージャンクションボックスと接続するスタンドの使用方法は大まかに二種類に分けられている。一つはスタンドとジャンクションボックスと一体成型で作られ、もう一つはスタンドをネジでジャンクションボックスに固定する。スタンドとジャンクションボックスとが一体成型の場合には、スタンドだけ損壊した場合、ジャンクションボックス全体を交換しなければならず、浪費とコストの増加の原因となる。ネジでジャンクションボックスに固定している場合、ジャンクションとスタンドを組立及び分解する際に大変時間がかかり不便であるなどを鑑みて、更なる改善が必要であった。
【先行技術文献】
【特許文献】
【０００４】
【特許文献１】特開２００４−３１４８１号公報
【考案の概要】
【考案が解決しようとする課題】
【０００５】
前記公知構造の欠点を解決するため、本考案はスタンドと電源ボックスの組立作業を簡易化且つ迅速に行うことができる電源ボックスモジュールの構造を提供することを主な課題とする。
【課題を解決するための手段】
【０００６】
前記課題を解決するために、本考案は電源ボックスモジュールの構造を提供するものであり、ソーラーモジュールと組み合わせて使用できるものである。電源ボックスモジュールに含まれるのはスタンド及び電源ボックスである。スタンドを前記ソーラーモジュールに固定する。スタンドに含まれるのは一つの支持プレート及び支持プレートの片側に設置する第一定位フックである。電源ボックスに含まれるのは関連する第一側面及び第二側面である。第一側面は第一側穴を形成し、第二側面は第一定位穴を形成する。第一定位フックはそれぞれ第一側穴及び第一定位穴の上に定位する。
【０００７】
本考案は、更に下記の効果を具有する：スタンドが電源ボックスを支える強度を向上するために、支持パーツとそれに対応する支持穴を別途に構成する。このほか、電源ボックスが損壊した際、ツールを使って定位フックを定位穴の制限から外せば、電源ボックスを手軽にスタンドから外すことができ、これらの操作が簡単でスピーディである。
【考案の効果】
【０００８】
本考案の電源ボックスモジュールのスタンドと電源ボックスにそれぞれ穴及びフックを形成することにより、互いに挿入して掛止することで定位し、スタンドと電源ボックスの組立作業を簡易化且つスピードアップすることができる。
【図面の簡単な説明】
【０００９】
【図１】本考案の第一実施例の分解図である。
【図２】本考案の第一実施例の組立図である。
【図３】本考案の第一実施例の底視図である。
【図４】本考案の第一実施例の断面図である。
【図５】本考案とソーラーモジュールを組み合わせて使用する部分立体図である。
【図６】本考案の第二実施例の分解図である。
【図７】本考案の第二実施例の断面図である。
【図８】本考案の第二実施例の底視図である。
【図９】本考案の第三実施例の分解図である。
【図１０】本考案の第三実施例の底視図である。
【考案を実施するための形態】
【００１０】
以下、本考案の構造と特徴および効果を、図面を参照しながら最良実施例を詳細に説明する。なお図面は参考と説明のためのものであり、本考案範囲を制限するものではない。
【実施例１】
【００１１】
図１〜図５に示すのは、本考案の第一実施例の関連図及びソーラーモジュールに組み立てた一部立体図である。本考案の電源ボックスモジュール１００に含まれるのはスタンド２００と電源ボックス３００である。スタンド２００を電源ボックス３００に組み立てる際に、スタンド２００と電源ボックス３００の組立を簡易化且つ迅速に行うことができるため、時間がかかる及び不便な組立作業を避けることができる。
【００１２】
本考案の電源ボックスモジュール１００は、一つのソーラーモジュール５００と組み合わせて使用できるものである。電源ボックスモジュール１００は、一つのスタンド２００及び一つの電源ボックス３００からなる。スタンド２００を前記ソーラーモジュール５００に固定する。スタンド２００は一つの支持プレート２１０及び支持プレート２１０の片側に設置する第一定位フック２５０を具える。電源ボックス３００は、関連する第一側面３１０及び第二側面３２０を有する。第一側面３１０は第一側穴３３０を形成し、第二側面３２０は第一定位穴３５０を形成する。
【００１３】
図１〜図４に示す実施例の中で、スタンド２００はプレート状のものであり、材質は金属、プラスティック或いはその組合せとすることができ、格別の限定はない。スタンド２００は更に一つの延伸プレート２３０及び一つの接続プレート２２０を具える。接続プレート２２０の一側縁は直角に支持プレート２１０と接続し、別端は直角に延伸プレート２３０と接続する。支持プレート２１０は延伸プレート２３０と平行して設置する。電源ボックス３００は矩形型のボックスであり、材質は金属、プラスティック或いはその組合せとすることができ、限定をしない。つまり、本実施例で言及する第一側面３１０及び第二側面３２０にそれぞれ第一側穴３３０及び第一定位穴３５０を形成し、該第一側面３１０は、更に第二側面３２０と垂直に接続し、第一側穴３３０は第一定位穴３５０と連通する。この他、本実施例は、更に支持プレート２１０に第二定位フック２６０を具える。第二定位フック２６０の構造設計に合わせるため、電源ボックス３００は更に第二側穴３４０、第二定位穴３６０及び第二側穴３４０及び第二定位穴３６０の隠れ穴３４２を設ける。よって、第二定位フック２６０はそれぞれ互いに対応する第二側穴３４０を通り、且つ第二定位穴３６０と組み合わせる。本実施例は複数の定位フック２５０、２６０により、スタンド２００が電源ボックス３００を支える強度を向上している。
【００１４】
図２及び図４に示すように、支持プレート２１０の第一定位フック２５０は逆フック部２５４及び延伸アーム２５２を具える。逆フック部２５４は延伸アーム２５２の一端に設けられ、延伸アーム２５２は支持プレート２１０の片側から突出したものである。接続プレート２２０は更に第一穴２２２及び第二穴２２４を設け、該逆フック部２５４は第一穴２２２の方向に向けて傾斜し、第二穴２２４は第一穴２２２に隣接して設ける。第一定位フック２５０は、電源ボックス３００の第一側面３１０の第一側穴３３０から第二側面３２０の第一定位穴３５０と掛合する。
図４に示す実施例のように、第一定位フック２５０は接続プレート２２０の第一穴２２２或いは電源ボックス３００の第一定位穴３５０(第一穴２２２と第一定位穴３５０は互いに対応する)の方向に向かって傾斜しているため、延伸アーム２５２はよりしっかりと電源ボックス３００の第二側面３２０の内壁に面接することができる。加えて逆フック部２５４が第一定位穴３５０に掛合するため、しっかりと電源ボックス３００に固定する。
【００１５】
第一側穴３３０は一つの隠れ穴３３２とすることができ、隠れ穴３３２と第一定位穴３５０は互いに連通するため、第一定位フック２５０を隠れ穴３３２の中に収納できる。最良実施例として、延伸アーム２５２の長さは第一定位穴３５０から第一側面３１０までの長さと同じとすることにより、逆フック部２５４はちょうど第一定位穴３５０に係合するようにする。第一定位フック２５０が第一定位穴３５０と掛合する場合、スタンド２００の支持プレート２１０は電源ボックス３００の第一側面３１０と相接する。この時、接続プレート２２０は同時に第二側面３２０とも相接する。したがって、電源ボックス３００はスタンド２００の支持プレート２１０及び接続プレート２２０としっかりと相接して組み合わされ、簡単且つ素早くスタンド２００に固定し、スタンド２００との組立作業を完成する。
【００１６】
図５に示すように、ソーラーモジュール５００はフレーム５１０を介して架設するソーラーパネル(未図示)により太陽エネルギーを電気に変換し、更に本考案の電源ボックスモジュール１００によって電気を利用或いは使用できるようにする。図に示すように、スタンド２００の延伸プレート２３０に別途若干の組立穴２３２を設け、電源ボックスモジュール１００はネジパーツ５２０によってソーラーモジュール５００の中の一つのフレーム５１０に定位される。最良実施例として、まずスタンド２００と電源ボックス３００を組立完成後、更にソーラーモジュール５００のフレーム５１０に定位する。しかし、その他の異なる実施例において、まずスタンド２００をフレーム５１０に定位してから電源ボックス３００を組み立てることもでき、順番に制限はない。ここで述べる電源ボックス３００とはジャンクションボックス(Ｊｕｎｃｔｉｏｎ Ｂｏｘ)或いはマイクロインバーター(Ｍｉｃｒｏ Ｉｎｖｅｒｔｅｒ)、或いは両者を一体にするものなどがあり、格別の制限はない。
【実施例２】
【００１７】
図６〜図８に示すのは本考案の第二実施例の図式である。電源ボックス３００を支える強度を向上するために、スタンド２００に別途一つ或いはそれ以上の支持パーツ２７０を増設することができ、電源ボックス３００はそれに対応して一つ或いはそれ以上の支持穴３７０を設けて、支持パーツ２７０をこの支持穴３７０に通して組み立てる。本実施例では単一の支持パーツ２７０と単一の支持穴３７０のデザインについてのみ説明している。
【００１８】
図６及び図８に示す実施例の中で、支持パーツ２７０はＴ字型フック２８０であり、且つ該Ｔ字型フック２８０は第一定位フック２５０の片側に隣接して設置する。電源ボックス３００側の支持穴３７０はＴ字型溝３８０であり、且つ支持穴３７０は第一定位穴３５０の片側に隣接して設置し、Ｔ字型フック２８０はＴ字型溝３８０に差し込んで組み立てる。図６に示すように、Ｔ字型フック２８０の一端は支持プレート２１０の一側面に固定して接続し、他端は接続プレート２２０に固定して接続する。そうすることで支持プレート２１０が電源ボックス３００を支えるに足る強度を提供できる。
【実施例３】
【００１９】
図９及び図１０に示すのは、本考案の第三実施例の分解図及び底視図である。本実施例で支持パーツ２７０に含まれるのは一対のフック２９０であり、電源ボックス３００側の支持穴３７０は一対の溝３９０を具える。該一対の溝３９０は第一定位穴３５０の片側に隣接して設置し、該一対のフック２９０と掛止する。図９に示す実施例のように、各フック２９０の構造は第一定位フック２５０の構造と同様であって、同じく端部の逆フック(未図示)で電源ボックス３００の各溝３９０と掛止して定位する。このほか、各フック２９０の最良設置部分はスタンド２００の接続プレート２２０であり、組立方向は同様に第一側面３１０から上向きに設置すると、同時に各溝３９０に定位することができる。しかし、異なる実施例において、該一対のフック２９０は支持プレート２１０に設置することもでき、ニーズを鑑みて変更できる。
【００２０】
本実施例では更に支持プレート２１０上に第二定位フック２６０を有し、該第二定位フック２６０は第一定位フック２５０の片側に設ける。つまり、該一対のフック２９０を第一定位フック２５０と第二定位フック２６０の間に設置する。第二定位フック２６０の構造に合わせるために、電源ボックス３００側には更に第二側穴３４０、第二定位穴３６０及び第二側穴３４０と第二定位穴３６０と連通する隠れ穴３４２を具える。よって、第二定位フック２６０はそれぞれ第二側穴３４０を通してから第二定位穴３６０で組み立てることができる。このように複数の定位フック２５０、２６０及び各フック２９０の構造を利用してスタンド２００が電源ボックス３００を支える強度を向上すると同時に、前記の簡単な構造によって、スタンド２００を電源ボックス３００に組み立てる操作のスピードを上げることができる。
【００２１】
電源ボックス３００をスタンド２００から外したい場合、ドライバー或いは専属ツール(未図示)を使って、図１或いは図４に示す穴２２２、２２４から入れて第一定位穴３５０、第二定位穴３６０に通し、第一定位穴３５０、第二定位穴３６０の制限から外れるまで逆フック部２５４を少し推移する(未図示)。第一定位フック２５０、第二定位フック２６０の逆フック部２５４が第一定位穴３５０、第二定位穴３６０の制限から外れた後、更に支持パーツ２７０(例えばＴ字型フック２８０或いはフック２９０)を支持穴３７０(例えばＴ字型溝３８０或いは溝３９０)の制限から外すことで、電源ボックス３００をスタンド２００から外すことができる。
【００２２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２３】
１００  電源ボックスモジュール
２００  スタンド
２１０  支持プレート
２２０  接続プレート
２２２  第一穴
２２４  第二穴
２３０  延伸プレート
２３２  組立穴
２５０  第一定位フック
２５２  延伸アーム
２５４  逆フック部
２６０  第二定位フック
２７０  支持パーツ
２８０  Ｔ字型フック
２９０  フック
３００  電源ボックス
３１０  第一側面
３２０  第二側面
３３０  第一側穴
３３２、３４２  隠れ穴
３４０  第二側穴
３５０  第一定位穴
３６０  第二定位穴
３７０  支持穴
３８０  Ｔ字型溝
３９０  溝
５００  ソーラーモジュール
５１０  フレーム
５２０  ネジパーツ
【図１】
0003194050.tif 000003
【図２】
0003194050.tif 000004
【図３】
0003194050.tif 000005
【図４】
0003194050.tif 000006
【図５】
0003194050.tif 000007
【図６】
0003194050.tif 000008
【図７】
0003194050.tif 000009
【図８】
0003194050.tif 000010
【図９】
0003194050.tif 000011
【図１０】
0003194050.tif 000012